(57)【特許請求の範囲】
【請求項１】
規制溝及びこの規制溝より幅広部を有し上記規制溝と連通する逃げ孔部を各々に有する左側壁部及び右側壁部を設けた基体に弾性支持手段を介して変位可能な状態で支持されたディスクの駆動機構が搭載される駆動部支持体と、
記録及び／又は再生装置本体内に挿入されたディスクカートリッジを保持するとともに、両側に突設した複数の支持部材を上記基体の各々の規制溝に係合させ、これにより上記基体に移動可能に支持されてなるカートリッジホルダと、
上記基体に上記ディスクカートリッジの記録及び／又は再生装置本体に対する挿脱方向に移動可能に支持され、その移動によって上記ディスクカートリッジのローディング操作を行うカートリッジホルダ搬送体とを備え、
上記ディスクカートリッジのローディング完了状態において、上記支持部材と上記規制溝との係合が解除されて上記支持部材が上記逃げ孔部に位置してなる記録及び／又は再生装置におけるディスクカートリッジの装着装置。
【発明の詳細な説明】
【０００１】
【産業上の利用分野】
本発明は、情報信号の記録媒体として用いられるディスクを収納したディスクカートリッジを、記録及び／又は再生装置内のカートリッジ装着部に装着操作する記録及び／又は再生装置におけるディスクカートリッジの装着装置に関する。
【０００２】
【従来の技術】
従来、ディスクを収納したディスクカートリッジを記録媒体に用いる記録及び／又は再生装置は、装置本体に挿入されたディスクカートリッジを自動的に引き込み操作して装置本体内のカートリッジ装着部に位置決め支持させ、このディスクカートリッジに収納されたディスクをディスク回転駆動機構に装着操作するとともに、このディスクをディスク回転駆動機構から離脱操作し、ディスクカートリッジを装置本体外方に自動的に排出操作するディスクカートリッジの装着装置を設けたものが広く用いられている。
【０００３】
この種のディスクカートリッジの装着装置が用いられる記録及び／又は再生装置として、ディスクカートリッジに収納されたディスクを回転操作する駆動機構を搭載した駆動部支持体を弾性支持部材を介して弾性変位可能に基体に支持するようにしたものが用いられている。駆動部支持体は、弾性支持部材を介して基体に支持されることにより、装置本体の外部から加えられる衝撃等に起因する振動が駆動部支持体に伝達されることを防止できる。
【０００４】
【発明が解決しようとする課題】
上述したように、駆動部支持体を基体に変位可能な状態に支持した記録及び／又は再生装置にあっては、ディスクカートリッジが装着される側である駆動部支持体が一定位置に固定されることなく容易に変位してしまう。そのため、ディスクカートリッジをカートリッジ装着部に正確な位置決めを図って装着し、ディスクを確実に回転駆動機構に装着させることができなくなるおそれがある。
【０００５】
そこで、本発明は、装置本体の外部から伝達される振動を吸収し、正確にディスクに対する情報信号の記録及び／又は再生を行うことができ、しかも、ディスクカートリッジを装置本体内の所定位置に確実に装着し、ディスクカートリッジ内のディスクを確実にディスクの駆動機構に装着することを可能とする記録及び／又は再生装置におけるディスクカートリッジの装着装置を提供することを目的とする。
【０００６】
【課題を達成するための手段】
本発明に係る記録及び／又は再生装置におけるディスクカートリッジの装着装置は、上述したような目的を達成するために提案されたものであって、規制溝及びこの規制溝より幅広部を有し上記規制溝と連通する逃げ孔部を各々に有する左側壁部及び右側壁部を設けた基体に弾性支持手段を介して変位可能な状態で支持されたディスクの駆動機構が搭載される駆動部支持体と、記録及び／又は再生装置本体内に挿入されたディスクカートリッジを保持するとともに、両側に突設した複数の支持部材を基体の各々の規制溝に係合させ、これにより基体に移動可能に支持されてなるカートリッジホルダと、基体にディスクカートリッジの記録及び／又は再生装置本体に対する挿脱方向に移動可能に支持され、その移動によってディスクカートリッジのローディング操作を行うカートリッジホルダ搬送体とを備え、ディスクカートリッジのローディング完了状態において、支持部材と規制溝との係合が解除されて支持部材が逃げ孔部に位置する。
【０００７】
【作用】
本発明に係る記録及び／又は再生装置におけるディスクカートリッジの装着装置は、ディスクカートリッジのローディング操作を行うとき、カートリッジホルダは、複数の支持部材を基体の左側壁部及び右側壁部に各々設けた規制溝に係合させて支持されることにより、挿脱方向のみの移動が可能とされ、他の方向への移動が規制された状態となる。ディスクカートリッジの記録及び／又は再生装置本体へのローディング完了状態に至ると、支持部材と規制溝との係合が解除されて支持部材が逃げ孔部に至る。
【０００８】
【実施例】
以下、本発明に係る記録及び／又は再生装置におけるディスクカートリッジの装着装置を図面を参照して説明する。
【０００９】
まず、本発明に係るディスクカートリッジの装着装置に用いられるディスクカートリッジ１を説明する。
【００１０】
ディスクカートリッジ１は、図１から図３に示すように、上下一対のハーフ２，３を突き合わせ結合して構成されたカートリッジ本体４内に楽音信号等の情報信号が記録され、あるいは予め楽音信号等の情報信号が記録されたディスクである光ディスク５が回転自在に収納されている。
【００１１】
光ディスク５を収納するカートリッジ本体４の上下面の相対向する位置には、光ディスク５の信号記録領域の一部を径方向に亘って外方に臨ませる信号記録及び／又は再生用開口部６，７が開設されている。カートリッジ本体４の下面側の中央部には、図２に示すように、光ディスク５を回転操作するディスク回転駆動機構を構成するディスクテーブルが進入するディスクテーブル進入用開口部８が開設されている。
【００１２】
カートリッジ本体４には、このディスクカートリッジ１がディスクプレーヤに装着しない非使用状態にあるときに、信号記録及び／又は再生用開口部６，７を閉塞しておく断面コ字状をなすシャッタ部材９が移動可能に取り付けられている。このシャッタ部材９は、信号記録及び／又は再生用開口部６，７を閉塞した状態にあるとき、シャッタ部材９の一部を折曲して形成したロック片１０をカートリッジ本体４内に配設したシャッタロック部材１１に係合させて信号記録及び／又は再生用開口部６，７を閉塞した位置にロックされている。
【００１３】
シャッタ部材９は、このディスクカートリッジ１が、後述するようにディスクプレーヤに挿入操作されることにより、このディスクプレーヤ側に配設されるカートリッジホルダに設けられたシャッタ部材開放操作片により押圧操作されて信号記録及び／又は再生用開口部６，７を開放させる方向に移動操作される。
【００１４】
すなわち、カートリッジ本体４のシャッタ部材９が嵌合された前面４ａ側には、シャッタ部材開放操作片が進入する溝部１２が設けられている。この溝部１２にシャッタ部材開放操作片が進入すると、カートリッジ本体４内に配設されたシャッタロック部材１１がシャッタ部材開放操作片により押圧変位され、ロック片１０の係合を解除させる。このロック片１０のシャッタロック部材１１に対する係合が解除されるこにより、シャッタ部材９は移動自由な状態となる。ディスクカートリッジ１のカートリッジホルダへの挿入に伴って、シャッタ部材開放操作片がシャッタ部材９を図１及び図２中矢印Ａ方向に移動操作して信号記録及び／又は再生用開口部６，７を開放させる。
【００１５】
従って、ディスクカートリッジ１は、シャッタ部材９のカートリッジ本体４に対する移動方向を挿入方向としてディスクプレーヤのカートリッジホルダに挿入操作される構成とされている。すなわち、ディスクカートリッジ１は、シャッタ部材開放操作片が進入する溝部１２の開放端部１２ａが臨む前面４ａと直交する一側面４ｂ側を挿入端としてカートリッジホルダに挿入操作される。
【００１６】
なお、カートリッジ本体４の一側面４ｂ側の上面側には、図１に示すようにこの一側面４ｂ側が挿入端であり、正規の挿入方向であることを示す挿入方向指示マーク１６が設けられている。
【００１７】
また、カートリッジ本体４のシャッタ部材開放操作片が進入する溝部１２が形成された前面４ａ側と対向する後面４ｃ側には、カートリッジホルダに対し挿入方向を誤って挿入されないようにするため、挿入方向を規制する誤挿入規制溝１３が設けられている。誤挿入規制溝１３は、カートリッジ本体４の挿入端側となる一側面４ｂ側に開放端１３ａを有するようにして、後面４ｃの中途部に亘って形成されている。
【００１８】
次に、上述のように構成されたディスクカートリッジ１を記録媒体に用いる本発明に係るディスクカートリッジの装着装置が適用されたディスクプレーヤを説明する。
【００１９】
本発明が適用されるディスクプレーヤは、図４及び図５に示すように、プレーヤ本体２００を構成する外装筺体内に固定配置される基体２１と、このディスクプレーヤに装着される前述したディスクカートリッジ１に収納された光ディスク５を回転操作するディスク回転駆動機構２２、このディスク回転駆動機構２２によって回転操作される光ディスク５に楽音信号等の情報信号の記録を行いあるいは光ディスク５に記録された楽音信号等の情報信号の再生を行う記録及び／又は再生手段としての光学ピックアップ装置２３及びこの光学ピックアップ装置２３を光ディスクの半径方向に移動操作するピックアップ駆動機構２４を駆動部支持体２５に搭載して構成したディスク駆動部２６と、プレーヤ本体２００に設けられたカートリッジ挿脱口２０１を介してプレーヤ本体２００内に挿入されたディスクカートリッジ１をディスク駆動部２６上のカートリッジ装着部２７に移送操作し、ディスクカートリッジ１に収納された光ディスク５をディスク回転駆動機構２２に装着操作するカートリッジローディング機構２８とを備えて構成されている。
【００２０】
ディスク駆動部２６を構成する駆動部支持体２５は、薄板状の金属板を折曲して形成されてなるものであって、薄板状の金属板を折曲して形成された基体２１上に配設されたゴム等の弾性材料により形成され、振動吸収機能を有する弾性支持部材２９を介して基体２１上に変位可能な状態で支持される。すなわち、駆動部支持体２５は、図５に示すように、この支持体２５の前端側の２個所及び後端側の１個所を折曲して形成した３つの取付け脚片３０に垂下するように植立した支持脚３１を、図６に示すように、弾性支持部材２９の中心部に形成した有底の嵌合孔３２に嵌合させて基体２１上に支持されている。
【００２１】
なお、基体２１の相対向する両側には、相対向して第１及び第２の側壁部３５，３６が立上り形成されている。
【００２２】
このように複数の弾性支持部材２９により支持された駆動部支持体２５は、上下及び左右方向に容易に変位可能な状態であるフローティング状態で基体２１に支持されてなる。そして、プレーヤ本体２００に加わる振動や衝撃は、弾性支持部材２９により減衰されて吸収されてなるので、駆動部支持体２５に振動や衝撃の影響を与えることを防止している。
【００２３】
上述のようにフローティング状態で基体２１上に支持された駆動部支持体２５の上面側には、図４及び図５に示すように、プレーヤ本体２００内に挿入されるディスクカートリッジ１が位置決めされて装着されるカートリッジ装着部２７が構成されてなる。このカートリッジ装着部２７には、ディスクカートリッジ１の下面側に設けられた位置決め孔１４，１５に係合し、ディスクカートリッジ１の装着位置を位置決めする位置決めピン３８，３８が植立されている。
【００２４】
また、駆動部支持体２５の略中央部には、図５に示すように、ディスク回転駆動機構２２が取り付けられている。このディスク回転駆動機構２２は、図９に示すように、ディスクカートリッジ１に収納された光ディスク５が装着されるディスクテーブル３９とこのディスクテーブル３９を回転駆動させるスピンドルモータ４０とから構成されている。スピンドルモータ４０は、カートリッジ装着部２７の中心部にスピンドル軸４１を突出させるようにして駆動部支持体２５の下面側に取り付けられている。そして、ディスクテーブル３９は、スピンドル軸４１の先端側に一体的に取り付けられている。このディスクテーブル３９には、光ディスク５の中心部に取り付けた磁性板を吸引支持するマグネットが配設されている。
【００２５】
さらに、駆動部支持体２５には、図５に示すように、ディスクテーブル３９上に装着された光ディスク５の径方向に移動可能となされて光学ピックアップ装置２３が配設されている。この光学ピックアップ装置２３は、対物レンズ４２をディスクテーブル３９に装着される光ディスク５の主面に対向させ、駆動部支持体２５の下面側に光ディスク５の径方向と平行に取り付けられたガイド軸４３及び送りネジ４４に支持されて光ディスク５の径方向に移動可能となされている。そして、光学ピックアップ装置２３は、送りネジ４４がピックアップ駆動機構２４を構成するピックアップ送りモータ４５により回転操作されることにより光ディスク５の内外周に亘って送り操作される。
【００２６】
なお、ピックアップ送りモータ４５と送りネジ４４は、減速ギヤ機構４６を介して連結されている。
【００２７】
上述のようにフローティング状態で基体２１上に支持された駆動部支持体２５にディスク回転駆動機構２２や光学ピックアップ装置２３等の機構部の全てを搭載することにより、フローティング状態でプレーヤ本体２００内に配設されたディスク駆動部２６が構成されてなる。
【００２８】
また、プレーヤ本体２００内に挿入されたディスクカートリッジ１をディスク駆動部２６上のカートリッジ装着部２７に移送操作し、ディスクカートリッジ１に収納された光ディスク５をディスク回転駆動機構２２のディスクテーブル３９上に装着操作するカートリッジローディング機構２８は、図４及び図５に示すように、プレーヤ本体２００内に挿入されたディスクカートリッジ１を保持するカートリッジホルダ５１と、このカートリッジホルダ５１をディスクカートリッジ１の挿脱可能位置からディスクカートリッジ１をカートリッジ装着部２７に装着させるディスクカートリッジ装着位置間に亘って移動操作させるカートリッジホルダ搬送体５２とから構成されてなる。
【００２９】
カートリッジローディング機構２８を構成するカートリッジホルダ５１は、図４に示すようにプレーヤ本体２００に設けたカートリッジ挿脱口２０１を介してこのプレーヤ本体２００内に挿入されたディスクカートリッジ１を内包するように保持するに足る大きさを有する平板な方形状に形成されてなるものであって、図５に示すように、カートリッジ挿脱口２０１を介して挿入されるディスクカートリッジ１の受け入れを行う前方開口部５３に対し直交する両側には、ディスクカートリッジ１のシャッタ部材９が取り付けられた前面側４ａ及び誤挿入規制溝１３が設けられた後面側４ｃを保持する断面コ字状をなす一対のカートリッジ保持部５４，５５が形成されている。
【００３０】
カートリッジホルダ５１の一方のカートリッジ保持部５４を構成する立上り壁５４ａの内側面中途部には、図６に示すように、このカートリッジホルダ５１に挿入されるディスクカートリッジ１の前面４ａ側に形成した溝部１２に進入し、シャッタロック部材１１を押圧変位させてシャッタ部材９のロック片１０のシャッタロック部材１１に対する係合を解除し、シャッタ部材９を信号記録及び／又は再生用開口部６，７を開放する方向に移動操作させるシャッタ部材開放操作片５６が突設されている。他方のカートリッジ保持部５５を構成する立上り壁５５ａの内側面中途部には、このカートリッジホルダ５１に挿入されるディスクカートリッジ１の後面４ｃ側に形成した誤挿入規制溝１３に進入する誤挿入防止片５７が突設されている。このように、一対のカートリッジ保持部５４，５５にシャッタ部材開放操作片５６及び誤挿入防止片５７を設けることにより、ディスクカートリッジ１は、正規の挿入端側を挿入方向として挿入された場合に限ってカートリッジホルダ５１への挿入を可能となし、誤挿入が防止される。
【００３１】
なお、シャッタ部材開放操作片５６が突設された一方のカートリッジ保持部５４側には、このカートリッジホルダ５１に挿入されたディスクカートリッジ１に取り付けられたシャッタ部材９を信号記録及び／又は再生用開口部６，７を開放した位置に保持し、ディスクカートリッジ１がカートリッジホルダ５１から排出操作される際、シャッタ部材９が信号記録及び／又は再生用開口部６，７を閉塞する方向にカートリッジ本体４に対し相対移動し得るように保持するシャッタ部材押圧支持バネ２０が取り付けられている。
【００３２】
シャッタ部材押圧支持バネ２０は、カートリッジホルダ５１に挿入されたディスクカートリッジ１をを誤挿入防止片５７が設けられた他方のカートリッジ保持部６４側に押圧付勢し、カートリッジホルダ５１に対するディスクカートリッジ１の挿入位置を規制する機能をも有する。
【００３３】
また、カートリッジホルダ５１の各カートリッジ保持部５４，５５を構成する立上り壁５４ａ，５５ａの外側面側には、駆動部支持体２５に対し移動可能に支持させるための支持部材である複数の支持ガイド軸５８，５９，６０が突設されている。これら支持ガイド軸５８，５９，６０は、図５及び図６に示すように、本実施例では一方のカートリッジ保持部５４側に２本が設けられ、他方のカートリッジ保持部５５側に１本が設けられている。
【００３４】
そして、カートリッジホルダ５１が支持される側の駆動部支持体２５  には、図５に示すように、この駆動部支持体２５上に配設されるカートリッジホルダ５１の各カートリッジ保持部５４，５５とそれぞれ対向するようにして一対の側板部６１，６２が立上り形成されている。これら側板部６１，６２には、支持ガイド軸５８，５９，６０がそれぞれ挿通支持されるカートリッジホルダ移動ガイド溝６２，６３，６４が穿設されている。そして、カートリッジホルダ５１は、各支持ガイド軸５８，５９，６０をそれぞれカートリッジホルダ移動ガイド溝６２，６３，６４に挿通させることにより、駆動部支持体２５に移動可能に支持されている。
【００３５】
ところで、各カートリッジホルダ移動ガイド溝６２，６３，６４は、図４に示すように、カートリッジホルダ５１のディスクカートリッジ１の挿脱を可能となすプレーヤ本体２００のカートリッジ挿脱口２０１に近接した位置とディスク駆動部２６上のカートリッジ装着部２６にディスクカートリッジ１の装着を可能となす位置間に亘る水平方向の移動をガイドする水平移動ガイド部６２ａ，６３ａ，６４ａと、カートリッジ装着部２６にディスクカートリッジ１の装着を可能となす位置からディスクカートリッジ１に収納した光ディスク５をディスクテーブル３９上に装着させる位置間に亘る垂直方向に移動をガイドする垂直方向移動ガイド部６２ｂ，６３ｂ，６４ｂとから構成されている。このように水平移動ガイド部６２ａ，６３ａ，６４ａと垂直方向移動ガイド部６２ｂ，６３ｂ，６４ｂを一連に連続させてＬ字状に形成されたカートリッジホルダ移動ガイド溝６２，６３，６４に各支持ガイド軸５８，５９，６０をそれぞれ挿通させたカートリッジホルダ５１は、カートリッジ挿脱口２０１に近接した位置とカートリッジ装着部２６にディスクカートリッジ１の装着を可能となす位置間に亘る水平方向に移動可能であって、カートリッジ装着部２６にディスクカートリッジ１の装着を可能となす位置と光ディスク５をディスクテーブル３９上に装着させる位置間に亘る垂直方向に移動可能な状態で駆動部支持体２５に支持されている。
【００３６】
また、カートリッジホルダ５１の支持ガイド軸５８，５９，６０の先端側は、さらに駆動部支持体２５上に形成したカートリッジホルダ移動ガイド溝６２，６３，６４にそれぞれ対応して基体２１の第１及び第２の側壁部３５，３６に穿設された規制溝６５ａ，６６ａ，６７ａ及びこれら規制溝６５ａ，６６ａ，６７ａに連通して形成された逃げ孔部６５ｂ，６６ｂ，６７ｂを通じて各側壁部３５，３６の外方に突出されている。これら規制溝６５ａ，６６ａ，６７ａは、支持ガイド軸５８，５９，６０が移動操作される際にその移動を阻害することなく移動方向を規制る。また、カートリッジホルダ５１がカートリッジ装着部２７側に降下された際、支持ガイド軸５８，５９，６０は、規制溝６５ａ，６６ａ，６７ａに連通して形成されたこれら規制溝６５ａ，６６ａ，６７ａの幅より大きく開放された逃げ孔部６５ｂ，６６ｂ，６７ｂに至ることにより、自由な移動が可能となる。即ち、逃げ孔部６５ｂ，６６ｂ，６７ｂは、カートリッジホルダ移動ガイド溝６２，６３，６４の幅より幅広に形成されていることにより、カートリッジホルダ５１に設けた支持ガイド軸５８，５９，６０の自由な移動を可能とする。
【００３７】
カートリッジホルダ５１をカートリッジホルダ移動ガイド溝６２，６３，６４にガイドさせて移動操作するカートリッジホルダ搬送体５２は、図６に示すように、基体２１の第１及び第２の側壁部３５，３６間に亘って配設され、これら側壁部３５，３６上をカートリッジホルダ５１の水平方向の移動方向に移動可能とされて取り付けられている。
【００３８】
カートリッジホルダ搬送体５２は、図７及び図８に示すように、各側壁部３５，３６の外側面側に垂下するように延在され、これら側壁部３５，３６から突出されたカートリッジホルダ５１の各支持ガイド軸５８，５９，６０が係脱する一端を開放したカム溝６８，６９，７０を穿設した第１及び第２の側板７１，７２と、これら側板を連結する連結板７３とから構成されている。この連結板７３は、図６に示すように、第１の側板側部分７３ａと第２の側板側部分７３ｂとからなり、これら第１及び第２の側板側部分７３ａ，７３ｂをビス７３ｃで連結されて構成されてなる。
【００３９】
カートリッジホルダ搬送体５２は、第１及び第２の側板７１，７２の連結板７３への連設部近傍の内側面に取り付けられた断面コ字状をなす複数のスライドガイド部材７５を、基体２１の第１及び第２の側壁部３５，３６の先端側を折曲して形成したスライドガイド支持片３５ａ，３６ａに嵌合させて取り付けられることにより、第１及び第２の側壁部３５，３６への支持が図られるとともに各スライドガイド支持片７６，７７にガイドされて第１及び第２の側壁部３５，３６上を水平方向に安定した状態で移動可能となされている。
【００４０】
カートリッジホルダ搬送体５２は、図６に示すように、中心部を枢軸７８により枢支され開閉自在をなされた一対の開閉アーム７９，８０を介して基体２１に連結されている。そして、一方の開閉アーム７９は、一端側をカートリッジホルダ搬送体５２の連結板７３上に植立した支軸８１に回動自在に枢支させ、他端側に突設した開閉ガイドピン８２を第２の側壁部３６の上端側一側から延長された延長片８３にカートリッジホルダ搬送体５２の移動方向と直交する方向に穿設した長孔８４に係合させて取り付けられ、他方の開閉アーム７９は、一端側を基体２１の第１の側壁部３５の上端縁側に折曲形成した折曲片８５上に植立した支軸８６に回動自在に枢支させ、他端側に突設した開閉ガイドピン８７を連結板７３カートリッジホルダ搬送体５２の移動方向と直交する方向に穿設した長孔８８に係合させて取り付けられている。このような構成をもってカートリッジホルダ搬送体５２と基体２１間を連結した一対の開閉アーム７９，８０は、カートリッジホルダ搬送体５２の移動に伴い、各開閉ガイドピン８２，８７をそれぞれ長孔８４，８８に枢軸７８を中心に開閉され、カートリッジホルダ搬送体５２の安定した移動を実現する。
【００４１】
ところで、カートリッジホルダ搬送体５２に設けられる各カム溝６８，６９，７０は、カートリッジホルダ５１がディスク駆動部２６上のカートリッジ装着部２７に対し上昇した位置であって、支持ガイド軸５８，５９，６０がカートリッジホルダ移動ガイド溝６２，６３，６４の水平移動ガイド部６２ａ，６３ａ，６４ａに位置したカートリッジホルダ５１の水平方向移動状態にあるときには、支持ガイド軸５８，５９，６０の係合状態を維持してカートリッジホルダ５１の水平方向に移動を可能となし、カートリッジホルダ５１がカートリッジ装着部２７側に降下された位置からカートリッジ装着部２７に対し上昇された位置間に亘って各支持ガイド軸５８，５９，６０をカートリッジホルダ移送体５２の移動に伴って徐々に上昇又は降下させるようにガイドするとともに、光ディスク５をディスクテーブル３９上に装着させ光ディスク５の回転操作を可能となすローディング完了状態において、カートリッジホルダ移送体５２が移動されることにより支持ガイド軸５８，５９，６０の係合を解除し得るように形成されてなるものである。すなわち、各カム溝６８，６９，７０は、図７及び図８に示すように、一端側を開放端６８ａ，６９ａ，７０ａとなし、この開放端６８ａ，６９ａ，７０ａから徐々に上昇する方向に傾斜した傾斜面部６８ｂ，６９ｂ，７０ｂを設け、有底の内方端側に垂直部６８ｃ，６９ｃ，７０ｃを設けて構成されている。
【００４２】
そして、カートリッジホルダ搬送体５２は、図７及び図１０に示すように、基体２１の第２の側壁部３６の外側面に配設された搬送体送りモータ９０によって駆動される搬送体送り機構９１によって移動操作される。この搬送体送り機構９１は、第２の側板７２の上端縁側に取り付けられたラック板９２と、このラック板９２のラックギヤ９２ａに噛合する複数のギヤからなる連結ギヤ機構９３と搬送体送りモータ９０の出力軸に取り付けられた連結ギヤ機構９３に噛合するウォームギヤ９４とから構成されてなる。
【００４３】
このようにウォームギヤ９４を用いて構成された搬送体送り機構９１は、搬送体送りモータ９０側からの駆動力が伝達されない限り、カートリッジホルダ搬送体５２の移動位置を正確に規制することを可能となす。
【００４４】
ところで、搬送体送り機構９１を構成するラック板９２は、カートリッジホルダ搬送体５２の第２の側板７２に植立した一対の支持軸９５ａ，９５ｂに長孔９６ａ，９６ｂを挿通させ、これら長孔９６ａ，９６ｂの範囲でスライド可能に第２の側壁部３６上に支持されるとともに、第２の側板７２との間に張設されたリミッターバネ９７により連結ギヤ機構９３に噛合する方向の図７及び図１０中矢印Ｂ方向に移動付勢されている。このようにウォームギヤ９４に連結され、長孔９６ａ，９６ｂの範囲でスライド可能となされたラック板９２を取り付けることにより、カートリッジホルダ搬送体５２は、後述するようにカートリッジホルダ５１にディスクカートリッジ１を挿入操作する際の押圧力を受けて長孔９６ａ，９６ｂの範囲でリミッターバネ９７の付勢力に抗して、図１０中矢印Ｃ方向に移動操作可能とされる。カートリッジホルダ５１へのディスクカートリッジ１の挿入を行いカートリッジホルダ搬送体５２の移動操作が行われると、第２の側壁部３６の前端側を折曲して形成したスイッチ押圧片９８が基体２１側に取り付けられた搬送体送りモータ９０の制御スイッチ９９を押圧操作し、搬送体送りモータ９０の駆動を開始させ、カートリッジホルダ搬送体５２の移動を開始させる。
【００４５】
上述のように構成されたカートリッジホルダ５１及びカートリッジホルダ搬送体５２からなるカートリッジローディング機構２８は、カートリッジホルダ５１に対しディスクカートリッジ１の挿脱を可能となす図６，図７及び図８に示すような初期位置にあるときには、カートリッジホルダ５１は、カートリッジホルダ移動ガイド溝６２，６３，６４の水平移動ガイド部６２ａ，６３ａ，６４ａの前端側に支持ガイド軸５８，５９，６０を位置させ、これら支持ガイド軸５８，５９，６０がカートリッジホルダ搬送体５２に設けたカム溝６８，６９，７０の垂直部垂直部６８ｃ，６９ｃ，７０ｃに係合された状態にある。
【００４６】
ここで、カートリッジホルダ５１にディスクカートリッジ１が挿入され、カートリッジホルダ搬送体５２が、図１０に示すように、ラック板９２を付勢するリミッターバネ９７の付勢力に抗して移動され、スイッチ押圧片９８により制御スイッチ９９が押圧操作されて搬送体送りモータ９０の正転駆動が開始されると、カートリッジホルダ搬送体５２は、図７中矢印Ｄ方向及び図８中矢印Ｅ方向のプレーヤ本体２００内方のディスク駆動部２６側に移動操作される。このとき、カートリッジホルダ５１は、支持ガイド軸５８，５９，６０をカム溝６８，６９，７０の垂直部６８ｃ，６９ｃ，７０ｃに係合させているので、カートリッジホルダ搬送体５２とともに図７中矢印Ｄ方向及び図８中矢印Ｅ方向に移動操作される。
【００４７】
そして、カートリッジホルダ５１は、カートリッジホルダ搬送体５２より支持ガイド軸５８，５９，６０が、図１１中の仮想線に示すように、カートリッジホルダ移動ガイド溝６２，６３，６４の垂直移動ガイド部６２ｂ，６３ｂ，６４ｂに臨む位置に至るまで送り操作されると、支持ガイド軸５８，５９，６０が図１２に示すように、垂直移動ガイド部６２ｂ，６３ｂ，６４ｂにガイドされてディスク駆動部２６上のカートリッジ装着部２７側へ降下される。このカートリッジホルダ５１をカートリッジ装着部２７側へ降下操作する際にも、カートリッジホルダ搬送体５２は図１４中矢印Ｆ方向に移動を続け、カム溝６８，６９，７０の傾斜面部６８ｂ，６９ｂ，７０ｂに支持ガイド軸５８，５９，６０を沿わせながら、これら支持ガイド軸５８，５９，６０をカートリッジホルダ移動ガイド溝６２，６３，６４の垂直移動ガイド部６２ｂ，６３ｂ，６４ｂにガイドさせて降下操作させる。カートリッジホルダ搬送体５２が、カートリッジホルダ５１をカートリッジ装着部２７側に降下させるまで移動すると、支持ガイド軸５８，５９，６０は、図１４及び図１５に示すように、開放端部６８ａ，６９ａ，７０ａを介してカム溝６８，６９，７０から離脱される。その結果、カートリッジホルダ５１は、カートリッジホルダ搬送体５２から独立された状態で、ディスクカートリッジ１をカートリッジ装着部２７に装着させ、このディスクカートリッジ１に収納された光ディスク５を、図９に示すようにディスクテーブル３９上に装着させる。
【００４８】
ところで、カートリッジホルダ搬送体５２から離脱されて独立され状態となされたディスクカートリッジ５１は、自由に移動可能な状態となされてしまう。そのため、ここに保持したディスクカートリッジ１を正確に位置決めしてカートリッジ装着部２７に支持させることができなくなり、さらにディスクカートリッジ１に収納した光ディスク５をディスクテーブル３９上に正確に装着できなくなる。
【００４９】
そこで、本発明にあっては、カートリッジホルダ５１がカートリッジ装着部２７側に降下操作され、カートリッジホルダ搬送体５２から離脱された状態において、カートリッジホルダ５１をディスク駆動部２６の駆動部支持体２５に一体化させる手段が設けられている。
【００５０】
この一体化させる手段は、カートリッジホルダ５１が、カートリッジホルダ搬送体５２より支持ガイド軸５８，５９，６０が、図１１に示すように、カートリッジホルダ移動ガイド溝６２，６３，６４の垂直移動ガイド部６２ｂ，６３ｂ，６４ｂに臨む位置若しくはその近傍位置に至るまで送り操作されときに、各支持ガイド軸５８，５９，６０に当接し、これら支持ガイド軸５８，５９，６０を垂直移動ガイド部６２ｂ，６３ｂ，６４ｂに沿って降下方向に押圧付勢し、カートリッジホルダ５１がカートリッジ装着部２７側に降下操作されときに、各支持ガイド軸５８，５９，６０を駆動部支持体２５側に圧着支持させる手段をもって構成されるものである。
【００５１】
具体的には、上述の一体化させる手段は、駆動部支持体２５上に配設された板バネ１０１により構成されてなる。この板バネ１０１は、図１１に示すように、基端部１０１ａを駆動部支持体２５上に固定され、自由端側の支持ガイド軸押圧部１０２をカートリッジホルダ移動ガイド溝６２，６３，６４の垂直移動ガイド部６２ｂ，６３ｂ，６４ｂにガイドされて移動する支持ガイド軸５８，５９，６０に対向させて駆動部支持体２５上に取り付けられてなるものであって、各支持ガイド軸５８，５９，６０がカートリッジホルダ移動ガイド溝６２，６３，６４の垂直移動ガイド部６２ｂ，６３ｂ，６４ｂに臨む位置若しくはその近傍位置に至ったときに、支持ガイド軸押圧部１０２が支持ガイド軸５８，５９，６０に当接するような位置に取り付けされてなる。
【００５２】
また、板バネ１０１は、カートリッジホルダ５１がカートリッジ装着部２７側に降下操作されときに、各支持ガイド軸５８，５９，６０を駆動部支持体２５側に圧着支持させる方向の図１２中矢印Ｇ方向の圧着力を付与し得るように形成されている。
【００５３】
そして、カートリッジホルダ５１をディスク駆動部２６の駆動部支持体２５に一体化させる手段としての板バネ１０１は、カートリッジホルダ５１がカートリッジホルダ搬送体５２より支持ガイド軸５８，５９，６０をカートリッジホルダ移動ガイド溝６２，６３，６４の垂直移動ガイド部６２ｂ，６３ｂ，６４ｂに臨む位置、又はその近傍位置までまで移動されると、図１１に示すように、支持ガイド軸５８，５９，６０に当接する。この板バネ１０１が各支持ガイド軸５８，５９，６０に当接した状態から、さらにカートリッジホルダ搬送体５２が図１４中矢印Ｆ方向に移動すると、板バネ１０１は、図１２に示すように、各支持ガイド軸５８，５９，６０をカートリッジホルダ移動ガイド溝６２，６３，６４の垂直移動ガイド部６２ｂ，６３ｂ，６４ｂにガイドさせて降下する方向に押圧付勢する。従って、各支持ガイド軸５８，５９，６０は、カム溝６８，６９，７０の傾斜面部６８ｂ，６９ｂ，７０ｂに沿わされ、垂直移動ガイド部６２ｂ，６３ｂ，６４ｂにガイドされて確実に降下操作されることになる。
【００５４】
板バネ１０１は、カートリッジホルダ５１がカートリッジ装着部２７側に降下操作された位置に至った後も、各支持ガイド軸５８，５９，６０を押圧支持し、カートリッジホルダ５１を駆動部支持体２５側に圧着させた状態に保持する。
【００５５】
本発明が適用されるディスクカートリッジ１の装着装置は、ディスクカートリッジ１をカートリッジ装着部２７に位置決めし、光ディスク５をディスクテーブル３９上に装着させたローディング状態にあるとき、カートリッジホルダ５１は、図１４及び図１５に示すように、支持ガイド軸５８，５９，６０がカム溝６８，６９，７０から離脱され、カートリッジホルダ搬送体５２から独立された状態に置かれる。
【００５６】
そして、カートリッジ装着部２７に装着されたディスクカートリッジ１を排出操作するためには、カートリッジ搬送体５２によるカートリッジホルダ５１の移動操作を可能となすように、各支持ガイド軸５８，５９，６０をカム溝６８，６９，７０に係合させる必要がある。
【００５７】
さらに、本実施例のディスクプレーヤは、前述したように駆動部支持体２５は、上下及び左右方向に容易に変位可能な状態であるフローティング状態で基体２１に支持されてなる。そのため、一旦カム溝６８，６９，７０から離脱された支持ガイド軸５８，５９，６０を、カム溝６８，６９，７０にそれぞれ係合させることが極めて難しくなる。
【００５８】
そこで、ディスクカートリッジ１をカート０ッジ装着部２７から排出操作させるときに、支持ガイド軸５８，５９，６０がカム溝６８，６９，７０のそれぞれに容易に係合していくようにガイドするカートリッジホルダ位置調整機構１０３が設けられている。このカートリッジホルダ位置調整機構１０３は、このディスクプレーヤにディスクカートリッジ１が装着されていない非駆動時において、フローティング状態で基体２１に支持されなる駆動部支持体２５を、基体２１に固定させる機能をも合わせ具備するものである。
【００５９】
このカートリッジホルダ位置調整機構１０３は、基体２１の第１及び第２の側壁部３５，３６のそれぞれに配設されてなるものであるが、第２の側壁部３６側に配設されたものを説明し、第１の側壁部３５側に配設したものについては、共通部分に共通の符号を付して詳細な説明は省略する。
【００６０】
カートリッジホルダ位置調整機構１０３は、カートリッジホルダ搬送体５２がカートリッジホルダ５１をカートリッジ装着部２７側に降下操作させた後、カートリッジホルダ搬送体５２により移動操作される駆動部支持体２５を固定する固定レバー１０４により構成される。
【００６１】
この固定レバー１０４は、図８に示すように、長手方向を長径とした一対のスライドガイド孔１０５，１０５を第２の側壁部３６に植立したスライドガイド軸１０６，１０６に係合させ、スライドガイド孔１０５，１０５の範囲で移動可能となされて第２の側壁部３６上に支持されている。この固定レバー１０４は、第２の側壁部３６の一部を切起して形成したバネ係止片１０７との間に張設された引張りバネ１０８により常時図８中矢印Ｈ方向のプレーヤ本体２００のカートリッジ挿脱口２０１側の前方に移動付勢されている。
【００６２】
そして、固定レバー１０４には、駆動部支持体２５の第１及び第２の側板部６１，６２に突設され、基体２１の第１及び第２の側壁部３５，３６に穿設した軸挿通穴１０９を介して突出された固定軸１１０，１１０がそれぞれ係合する一対の軸係合溝１１１，１１２が穿設されている。これら軸係合溝１１１，１１２の一端側には、徐々に拡径する傾斜ガイド部１１３が形成されている。この傾斜ガイド部１１３は、固定軸１１０が軸係合溝１１１，１１２に容易に係合するように係合をガイドするものである。
【００６３】
また、傾斜ガイド部１１３の拡径ガイド部側は、大きく開放された開放部１１４となされている。すなわち、この開放部１１４に固定軸１１０，１１０があるとき、これら固定軸１１０，１１０の自由な自動を許容し、駆動部支持体２５をフローティング状態となすものである。
【００６４】
さらに、固定レバー１０４の一側面側の中途部には、カートリッジホルダ搬送体５２の第２の側板７２に形成した前端側のカム溝６９を穿設した部分を垂下するように延長して形成した固定レバー押圧片１１５により押圧される押圧操作子１１６が突設されている。この押圧操作子１１６は、カートリッジホルダ搬送体５２がカートリッジホルダ５１をカートリッジ装着部２７側に降下させた位置まで移送させた時に固定レバー押圧片１１５と当接した位置に設けられてなる。
【００６５】
なお、基体２１の第１の側壁部３５側に配設される固定レバー１０４に形成した押圧操作子１１６は、カートリッジ本体５１の第２の側板７２側に穿設したカム溝７０を穿設した部分を垂下するように延長して形成した固定レバー押圧片１１５により押圧操作される。
【００６６】
従って、固定レバー１０４は、カートリッジホルダ搬送体５２がカートリッジホルダ５１をディスクカートリッジ１の挿脱を可能となす位置に移動されたディスクカートリッジ１が装着されていない非駆動時において、引張りバネ１０８の付勢力を受けて図８中矢印Ｈ方向に移動付勢された状態にある。このとき、固定レバー１０４は、軸係合溝１１１，１１２に駆動部支持体２５の固定軸１１０，１１０を係合させた状態におかれ、駆動部支持体２５を基体２１に固定支持じた状態に保持しておく。
【００６７】
また、固定レバー１０４は、カートリッジホルダ搬送体５２がカートリッジホルダ５１をカートリッジ装着部２７側に降下させた位置まで移送させた後、さらに図１５中矢印Ｉ方向に移動することにより、固定レバー押圧片１１５により押圧操作子１１６が押圧操作されて図１５中矢印Ｊ方向の内方側に移動される。この固定レバー１０４の図１５中矢印Ｊ方向への移動により、軸係合溝１１１，１１２への駆動部支持体２５の固定軸１１０，１１０の係合を解除して開放部１１４に臨ませる。その結果、駆動部支持体２５は、基体２１に対する固定が解除され、フローティング状態となされる。
【００６８】
そして、カートリッジ装着部２７に装着されたディスクカートリッジ１を排出操作させるように、プレーヤ本体に設けたイジェクト操作釦を操作し、搬送体送りモータ９０を逆転駆動させ、カートリッジ搬送体５2 を降下位置にあるカートリッジホルダ５１側方向の図１５中反矢印Ｉ方向に移動させると、固定レバー押圧片１１５に押圧操作子１１６に当接させている固定レバー１０４はカートリッジ搬送体５2 とともに引張りバネ１０８の付勢力を受けて図１５中矢印Ｋ方向の復帰方向に移動する。この復帰方向への移動にともない、傾斜ガイド部１１３を案内面として駆動部支持体２５の固定軸１１０，１１０を軸係合溝１１１，１１２に係合させていき、駆動部支持体２５を基体２１に固定させる。
【００６９】
このように駆動部支持体２５の基体２１への固定が行われると、支持ガイド軸５８，５９，６０をカム溝６８，６９，７０から離脱され、板バネ１０１により駆動部支持体２５に一体化されているカートリッジホルダ５１も駆動部支持体２５とともに固定され、支持ガイド軸５８，５９，６０の位置も固定される。その結果、これら支持ガイド軸５８，５９，６０は、カートリッジホルダ搬送体５２に設けたカム溝６８，６９，７０の開放端部６８ａ，６９ａ，７０ａに対する位置調整が図られる。そして、カートリッジホルダ５１の支持ガイド軸５８，５９，６０は、基体２１に固定された状態でカム溝６８，６９，７０の開放端部６８ａ，６９ａ，７０ａに係合していくことになり、支持ガイド軸５８，５９，６０とカム溝６８，６９，７０との安定確実な係合が実現される。
【００７０】
ところで、駆動部支持体２５が弾性支持部２９を介して支持される基体２１には、カートリッジホルダ５１に挿入保持されたディスクカートリッジ１をカートリッジ装着部２７にローディング操作するようにカートリッジローディング機構２８が動作することにより、プレーヤ本体２００に設けたカートリッジ挿脱口２０１を閉塞し、プレーヤ本体２００内へのディスクカートリッジ１の挿入を禁止するカートリッジ挿入禁止機構２１１を構成するカートリッジ挿脱口開閉部材２１２が取り付けられている。このカートリッジ挿脱口開閉部材２１２は、図５及び図１６に示すように、カートリッジ挿脱口２０１を開閉する開閉板２１２ａの両側に回動支持アーム片２１３，２１４を折曲して略コ字状をなすように形成されている。開閉板２１２ａは、カートリッジ挿脱口２０１を閉塞するに足る幅及び長さを有する長尺な平板状を有する。
【００７１】
そして、カートリッジ挿脱口開閉部材２１２は、一対の回動支持アーム片２１３，２１４を、固定基台２１の第１及び第２の側壁部３５，３６の内側面側に延在させ、回動支持アーム片２１３，２１４の先端側を支軸２１５，２１５を介して第１及び第２の側壁部３５，３６に枢支することによって、図１６中矢印Ｓ方向及び矢印Ｔ方向に回動可能に支持されてなる。また、回動支持アーム片２１３，２１３の外側面側の中途部には、基体２１の第１及び第２の側壁部３５，３６に穿設された開口部２１６，２１７に挿通される回動ガイドピン２１８，２１９が植立されている。これら回動ガイドピン２１７，２１８は、各開口部２１５，２１６に挿通されることにより、カートリッジ挿脱口開閉部材２１２の回動方向をガイドするとともに回動範囲を規制する。
【００７２】
ところで、基体２１の第１の側壁部３５に穿設された開口部２１６に挿通される一方の回動ガイドピン２１７の先端側は、図７に示すように、第１の側壁部３５側に取り付けられた固定レバー１０４に穿設した傾斜カム溝２１９に挿通係合されている。この傾斜カム溝２１９は、カートリッジ本体２００の前面側であるカートリッジ挿脱口２０１側からカートリッジ本体２００の内方側に向かって立ち下がるように傾斜して形成され、傾斜カム面２１９ａの両端に水平部２１９ｂ，２１９ｃを形成して構成されている。
【００７３】
上述のように一方の回動ガイドピン２１７を固定レバー１０４の傾斜カム溝２１９に係合させて基体２１に回動可能に支持されたカートリッジ挿脱口開閉部材２１２は、固定レバー１０４の移動に追随して図１６中矢印Ｐ方向及び矢印Ｑ方向に回動操作される。そして、カートリッジ挿脱口開閉部材２１２は、固定レバー１０４が引張りバネ１０８の付勢力を受けて図７中矢印Ｘ方向に移動付勢された状態であるカートリッジホルダ搬送体５２がカートリッジホルダ５１をディスクカートリッジ１の挿脱を可能となす位置に移動された状態にあるときは、回動ガイドピン２１７が傾斜カム溝２１９の下方側に水平部２１９ｃに位置し、基体２１の底面側に回動された状態に置かれる。すなわち、カートリッジ挿脱口開閉部材２１２の開閉板２１２ａがプレーヤ本体２００のカートリッジ挿脱口２０１を開放する位置に回動操作された状態に置かれる。そして、カートリッジ挿脱口２０１が開放状態となされることにより、このカートリッジ挿脱口２０１を介してプレーヤ本体２００内へのディスクカートリッジ１の挿入を可能となし、前方開口部５３を介してカートリッジホルダ５１へのディスクカートリッジ１の挿入保持を可能となす。
【００７４】
また、カートリッジホルダ５１に挿入保持されてディスクカートリッジ１をカートリッジ装着部２７に装着させるため、カートリッジホルダ搬送体５２が、カートリッジホルダ５１をカートリッジ装着部２７側に降下させた位置まで移送させた後さらに図１４中矢印Ｆ方向に移動し、固定レバー押圧片１１５を介して固定レバー１０４を図１４中矢印Ｕ方向に移動させると、カートリッジ挿脱口開閉部材２１２は、図１４及び図１６中矢印Ｓ方向に回動される。すなわち、カートリッジ挿脱口開閉部材２１２は、固定レバー１０４の図１４中矢印Ｕ方向への移動に伴って、回動ガイドピン２１７が傾斜カム溝２１９の傾斜カム面２１９ａに沿って移動され行くことにより、支軸２１５，２１５を中心にして図１４及び図１６中矢印Ｓ方向に回動され、開閉板２１２ａがプレーヤ本体２００のカートリッジ挿脱口２０１に対向する位置に移動してカートリッジ挿脱口２０１を閉塞する。このとき、カートリッジ挿脱口開閉部材２１２は、回動ガイドピン２１７が傾斜カム溝２１９の上方側に水平部２１９ｂに位置させられることにより、開閉板２１２ａがプレーヤ本体２００のカートリッジ挿脱口２０１を閉塞した状態を安定に保持する。
【００７５】
上述のように、カートリッジホルダ５１がカートリッジ装着部２７側に降下された位置まで移動されたディスクカートリッジ１のローディングを行った状態になると、プレーヤ本体２００のカートリッジ挿脱口２０１がカートリッジ挿脱口開閉部材２１２により閉塞されることになり、カートリッジホルダ５１へのディスクカートリッジ１の挿入が禁止される。従って、ディスクカートリッジ１がローディング状態にあるとき、ディスクカートリッジの二重装着が禁止される。
【００７６】
また、プレーヤ本体２００のカートリッジ挿脱口２０１を閉塞した位置に回動させられたカートリッジ挿脱口開閉部材２１２は、カートリッジ装着部２７に装着されたディスクカートリッジ１を排出操作させるように、搬送体送りモータ９０の逆転駆動によりカートリッジ搬送体５2 が図１４中反矢印Ｆ方向に移動され、固定レバー１０４がカートリッジ搬送体５2 とともに引張りバネ１０８の付勢力を受けて図１４中矢印Ｘ方向の復帰方向に移動されると、カートリッジ挿脱口開閉部材２１２は、図１４及び図１６中矢印Ｔ方向に回動される。すなわち、カートリッジ挿脱口開閉部材２１２は、固定レバー１０４の図１４中矢印Ｘ方向への移動に伴って、回動ガイドピン２１７が傾斜カム溝２１９の傾斜カム面２１９ａに沿って移動され行くことにより、支軸２１５，２１５を中心にして図１４及び図１６中矢印Ｔ方向に回動され、図７に示すように開閉板２１２ａが基体２１の底面側に移動してプレーヤ本体２００のカートリッジ挿脱口２０１を開放し、ディスクカートリッジ１のプレーヤ本体２００内への挿入を可能となす。すなわち、ディスクカートリッジ１のカートリッジ本体５１への挿入保持を可能となす。
【００７７】
なお、上述の実施例では、カートリッジ挿脱口２０１を開閉するカートリッジ挿脱口開閉部材２１２は、カートリッジ挿脱口２０１を閉塞するに足る開閉板２１２ａを備えて構成されてなるが、カートリッジ挿脱口２０１に対向する位置に移動されたとき、このカートリッジ挿脱口２０１の間隔又は幅を狭めてディスクカートリッジ１の挿入を禁止するようになすものであればよく、カートリッジ挿脱口２０１内に突出するピン状のものであってもよい。
【００７８】
また、カートリッジホルダ５２にディスクカートリッジ１が誤挿入されたままディスクカートリッジ１のローディングが行われると、ディスクカートリッジ１を損傷させ、あるいはディスク駆動部２６に配設された光学ピックアップ装置２３やその他の機構部の損傷を招きかねない。
【００７９】
そこで、このディスクカートリッジの装着装置には、カートリッジホルダ５１を移動操作するカートリッジホルダ搬送体５２を、カートリッジホルダ５１に対しディスクカートリッジ１の挿脱を可能となす初期位置に確実に位置規制するとともに、カートリッジホルダ５１に対しディスクカートリッジ１が正規に挿入されたことを検出した後、カートリッジホルダ搬送体５２の移動を可能となし、カートリッジホルダ５１の送り操作を可能となす機構が設けられている。
【００８０】
カートリッジローディング機構２８を構成するカートリッジホルダ搬送体５２は、カートリッジホルダ５１をディスクカートリッジ１の挿脱を可能となす図６、図７及び図８に示すように、に示すような初期位置に移動された状態にあるとき、基体２１に取り付けられた搬送体位置規制板１１７により移動が規制された状態にある。
【００８１】
この搬送体移動規制板１１７は、図１８に示すように、Ｌ字状に折曲形成された板状部材により形成され、基体２１の背面側に立上り形成した背面壁１１８に突設した支持片１１８ａに折曲部近傍に穿設した係合孔１１９を係合させ、支持片１１８ａを中心に回動可能に支持され、背面壁１１８側に垂下された垂下片１１７ａと背面壁１１８との間に配設された板バネで形成された付勢バネ１２０によりカートリッジホルダ搬送体５２上に延長された規制板部１１７ｂがカートリッジホルダ搬送体５２側に回動するように図１８中矢印Ｌ方向に回動付勢されている。
【００８２】
なお、付勢バネ１２０は、基端側を背面壁１１８に固定された自由端１２０ａ側で垂下片１１７ａを押圧付勢するようにしている。
【００８３】
そして、図６に示すように、搬送体移動規制板１１７のカートリッジホルダ搬送体５２上に延長された規制板部１１７ｂの先端側には、カートリッジホルダ搬送体５２の連結板７３の背面側一側に係合する係合部１２１が形成され、カートリッジホルダ搬送体５２が初期位置にあるとき、図６及び図１８に示すように、係合部１２１を連結板７３に係合させてカートリッジホルダ搬送体５２を初期位置に位置規制している。
【００８４】
さらに、規制板部１１７ｂの先端側は、図１７及び図１８に示すように、カートリッジホルダ搬送体５２の下面側に位置するカートリッジホルダ５１側に突出された被押圧部１２５が膨出形成されている。この被押圧部１２５は、カートリッジホルダ５１に挿入されるディスクカートリッジ１により移動操作される後述するイジェクト機構１２２を構成するスライダ部材１２３の上面側に突設した押圧操作部１２４により押圧操作されるものであり、カートリッジホルダ５１に挿入されるディスクカートリッジ１の挿入位置を検出する検出部としても機能する。
【００８５】
すなわち、被押圧部１２５は、後述するように、カートリッジホルダ５１に正規に挿入され、スライダ部材１２３のスライド操作を可能となし、搬送操作を許容される位置までディスクカートリッジ１が挿入されたことを検出する検出部となるものである。
【００８６】
そして、搬送体移動規制板１１７は、カートリッジホルダ５１に正規なな状態で挿入されこのディスクカートリッジ１によりスライダ部材１２３が移動操作されときに、押圧操作部１２４により被押圧部１２５が押圧操作されと、付勢バネ１２０の付勢力に抗して図１８中矢印Ｍ方向に回動され、係合部１２１のカートリッジホルダ搬送体５２の連結板７３に対する係合を解除させ、カートリッジホルダ搬送体５２を移動可能な状態となす。
【００８７】
また、搬送体移動規制板１１７の回動を制御する押圧操作部１２４を有するスライダ部材１２３を備えたイジェクト機構１２２は、カートリッジホルダ５１の上面側に配設されなる。
【００８８】
このイジェクト機構１２２は、図１９に示すように、カートリッジホルダ５１に対するディスクカートリッジ１の挿脱方向にスライド可能に取り付けられたスライダ部材１２３と、このスライド部材１２３をロックするロックレバー１２６と、このロックレバー１２６のスライド部材１２３に対するロックを解除させるロック解除レバー１２７と、このロック解除レバー１２７とロックレバー１２６間を関連させるスライドレバー１２８とから構成されてなる。
【００８９】
スライド部材１２３は、図１９に示すように、カートリッジホルダ５１の平面側から中途部に亘って穿設されたスライドガイド溝部１２９に係合するスライド部１２３ａとこのスライド部１２９の基端側に突設されてカートリッジホルダ５１内方に突出するディスクカートリッジ１によって押圧操作され、イジェクト時にディスクカートリッジ１を押圧操作するイジェクト操作部１３０とから構成されている。このスライド部１２３は、スライド部１２９の両側に穿設した係合溝をスライドガイド溝部１２９の相対向する辺に係合させてカートリッジホルダ５１にスライド可能に支持され、カートリッジホルダ５１の一部を切起して形成したバネ係止片１３１との間に張設された引張りバネ１３２によりディスクカートリッジ１をカートリッジホルダ５１から排出する方向の図１９中矢印Ｎ方向に移動付勢されてカートリッジホルダ５１に取り付けられている。
【００９０】
また、スライド部材１２３は、ディスクカートリッジ１がシャッタ部材開放操作片５６及び誤挿入防止片５７に規制されない状態で、シャッタ部材開放操作片５６が溝部１２に進入してシャッタ部材９のシャッタロック部材１１に対する係合を解除させ、シャッタ部材９の移動を可能となす図２０に示す位置までカートリッジホルダ５１に挿入されとき、図１９に示すように、ディスクカートリッジ１によりイジェクト操作部１３０が押圧されるように取り付けられてなる。
【００９１】
スライド部材１２３をロックするロックレバー１２６は、略Ｌ字状に形成され、カートリッジホルダ５１に植立された支軸１３３に回動可能に枢支されるとともに、支軸１３３に巻回され、一端側をカートリッジホルダ５１の一部に係止され、他端側をロックレバー１２６の一部に係止された捩りコイルバネ１３５により、スライド部材１２３に係合する係合段部１３６を形成した一端側がスライド部材１２３側へ回動するように図１９中矢印Ｏ方向に回動付勢されている。また、ロックレバー１２６の他端側は、スライドレバー１２８の一端に当接し得るように対向させられている。
【００９２】
スライドレバー１２８は、カートリッジホルダ５１に植立された一対の支軸１３６，１３７に長孔１３８を係合させ、これら長孔１３８の範囲でスライド可能となされて取り付けられている。このスライドレバー１２８は、カートリッジホルダ５１に形成したバネ係止片１４０との間に張設された引張りバネ１４１によりロックレバー１２６から離間する方向の図１９中矢印Ｐ方向に移動付勢されている。
【００９３】
スライドレバー１２８を介してロックレバー１２６を回動操作させるロック解除レバー１２７は、カートリッジホルダ５１に植立された支軸１４２に回動可能に枢支されるとともに、カートリッジホルダ５１に形成したバネ係止片１４３との間に張設された引張りバネ１４４によりスライドレバー１２８から離間する方向に回動付勢されている。なお、このロック解除レバー１２７の引張りバネ１４４による回動付勢位置は、カートリッジホルダ５１に形成した回動規制部により規制されてなる。このロック解除レバー１２７の一端は、スライドレバー１２８の他端に当接し得るように対向させられている。
【００９４】
上述のように構成されたイジェクト機構１２２は、カートリッジホルダ３１に誤挿入されることなくディスクカートリッジ１が挿入されると、このディスクカートリッジ１によってイジェクト操作部１３０が押圧され、スライダ部材１２３は引張りバネ１３２の付勢力に抗して図２０中矢印Ｑ方向に移動される。スライダ部材１２３が引張りバネ１３２の付勢力に抗して移動操作され、このスライダ部材１２３の一端側のコーナ部である係止部１２３ａがロックレバー１２６の係止段部１３６に臨む位置に至ると、ロックレバー１２６は捩りコイルバネ１３５の付勢力を受けて図２０中矢印Ｒ方向に回動操作され、係止段部１３６を係止部１２３ａに係合させ、スライダ部材１２３が引張りバネ１３２の付勢力に抗して移動された位置にロックされる。このように引張りバネ１３２が伸長された状態でスライダ部材１２３がロックされることにより、このスライダ部材１２３にカートリッジホルダ５１に挿入されたディスクカートリッジ１を排出させる排出力が付与されることになる。
【００９５】
なお、ロックレバー１２６は、スライダ部材１２３をロックするように回動したとき、他端側をスライドレバー１２８の一端に当接させる。
【００９６】
ところで、引張りバネ１３２が伸長されスライダ部材１２３にディスクカートリッジ１の排出力が付与された状態にあるイジェクト機構１２２は、カートリッジホルダ搬送体５２に設けられ、このカートリッジホルダ搬送体５２の移動によってスライダ操作されるイジェクト開始機構１５１によって行われる。このイジェクト開始機構１５１は、カートリッジホルダ搬送体５２の一側側に取り付けられたイジェクト機構操作レバー１５２により構成されてなる。
【００９７】
このイジェクト機構操作レバー１５２は、図２２に示すように長尺なレバーとして形成され、一端側にイジェクト機構１２２を構成するロック解除レバー１２７の一端に形成した被押圧片１５３を押圧操作する押圧操作片１５４を設け、他端側に固定端である基体２１の第２の側壁部３６に形成した延長片８３に当接し、この延長片８３により押圧操作される被押圧操作片１５５を設けて構成されている。
【００９８】
そして、イジェクト機構操作レバー１５２は、カートリッジホルダ搬送体５２を構成する連結板７３の内面側に植立した一対の支持軸１５６，１５７にこのレバー１５２の長手方向を長径とした長孔１５８，１５９を係止させ、これら長孔１５８，１５９の範囲でスライダ可能となされてカートリッジホルダ搬送体５２に取り付けられている。このイジェクト機構操作レバー１５２は、カートリッジホルダ搬送体５２との間に張設された引張りバネ１６１により図２２中矢印Ｐ方向に常時付勢されている。
【００９９】
このように構成されたイジェクト機構操作レバー１５２は、カートリッジホルダ搬送体５２がカートリッジホルダ５１をディスクカートリッジ１の挿脱を可能となす初期位置に移動させた後、さらに搬送体送りモータ９０が駆動され、カートリッジホルダ搬送体５２が初期位置方向に移動されることによってスライダ操作される。すなわち、カートリッジホルダ搬送体５２がカートリッジホルダ５１をディスクカートリッジ１の挿脱を可能となす初期位置に移動された後さらに図７及び図２２中中矢印Ｑ方向に移動されると、イジェクト機構操作レバー１５２の他端側に設けた被押圧操作片１５５が基体２１の第２の側壁部３６に形成した延長片８３に当接し、イジェクト機構操作レバー１５２の移動が停止される。ここからさらにカートリッジホルダ搬送体５２が図７中矢印Ｑ方向の初期位置方向に移動されると、イジェクト機構操作レバー１５２は引張りバネ１６１の付勢力に抗してカートリッジホルダ搬送体５２の移動方向とは逆方向の図２２中矢印Ｒ方向に移動され、一端側の押圧操作片１５４により、イジェクト機構１２２を構成するロック解除レバー１２７の一端に形成した被押圧片１５３を押圧操作する。
【０１００】
被押圧片１５３が押圧されたロック解除レバー１２７は、引張りバネ１４４の付勢力に抗して回動操作され、スライドレバー１２８を引張りバネ１４１の付勢力に抗してスライド操作する。このスライドレバー１２８がスライド操作されると、ロックレバー１２６が捩りコイルバネ１３５の付勢力に抗して、図２０中矢印Ｓ方向にスライドレバー１２８により回動操作される。このようにロックレバー１２６が回動操作されると、このロックレバー１２６の係止段部１３６がスライダ部材１２３の係止部１２３ａから外れ、スライダ部材１２３のロックを解除させる。ロックレバー１２６によるロックが解除されたスライダ部材１２３は、ディスクカートリッジ１により伸長され弾性復帰力が付与されている引張りバネ１３２の付勢力を受けて急峻に初期位置に移動復帰される。このスライダ部材１２３の復帰動作により、カートリッジホルダ５１に挿入保持されていたディスクカートリッジ１は、スライダ部材１２３のイジェクト操作部１３０により挿入端側の一側４ｃが押圧され、図２２に示すように、カートリッジホルダ５１から排出される。
【０１０１】
次に、上述したように構成されたディスクカートリッジの装着装置により前述したように構成されたディスクカートリッジ１をローディングする状態を説明する。
【０１０２】
ディスクカートリッジ１をカートリッジホルダ５１に挿入可能となすため、プレーヤ本体のカートリッジ挿脱口に近接した位置に移動させておく。すなわち、図６、図７及び図８に示すように、に示すようにカートリッジホルダ搬送体５２を初期位置に移動させておく。この状態にあるとき、固定レバー１０４は、カートリッジホルダ搬送体５２により押圧されることなく引張りバネ１０４の付勢力を受けて軸係合溝１１１，１１２に駆動部支持体２５の固定軸１１０，１１０を係合させ、固定支持した状態におく。
【０１０３】
このとき、カートリッジ挿脱口開閉部材２１２は、図７に示すように、回動ガイドピン２１７が固定板１０４に設けた傾斜カム溝２１９の下方側の水平部材２１９ｃに位置し、基体２１の底面側に回動された状態にあって、プレーヤ本体２００のカートリッジ挿脱口２０１を開放した状態におく。
【０１０４】
この初期状態にあるとき、カートリッジホルダ５１は、支持ガイド軸５８，５９，６０をカートリッジホルダ搬送体５２のカム溝６８，６９，７０の垂直部６８ａ，６９ａ，７０ａに係合させ、カートリッジホルダ搬送体５２と一体に移動可能な状態にある。さらに、支持ガイド軸５８，５９，６０は、カートリッジホルダ移動ガイド溝６２，６３，６４の水平移動ガイド部６２ａ，６３ａ，６４ａに位置され、上昇位置にある。
【０１０５】
ここで、プレーヤ本体２００のカートリッジ挿脱口２０１を介してプレーヤ本体２００内にディスクカートリッジ１を挿入し、このカートリッジ挿脱口２０１に前方開口部５３を対向させた状態にあるカートリッジホルダ５１にディスクカートリッジ１を挿入する。このとき、ディスクカートリッジ１が誤挿入されることなく正規な状態でカートリッジホルダ５１に挿入されていくと、図２０に示すように、ディスクカートリッジ１の挿入端側の一側面４ｂによりスライド部材１２３が引張りバネ１２３の付勢力に抗して移動され、イジェクト機構１２２にディスクカートリッジ１をカートリッジホルダ５１から排出する方向の付勢力が蓄積される。
【０１０６】
このように、カートリッジホルダ５１に対しディスクカートリッジ１が挿入されることにより、搬送体移動規制板１１７の被押圧部１２５によりディスクカートリッジ１の挿入が検出され、このディスクカートリッジ１により被押圧部１２５が、図１８に示すように押圧されると、搬送体移動規制板１１７によるカートリッジホルダ搬送体５２の位置規制が解除され、カートリッジホルダ搬送体５２は搬送体送り機構９１により移動操作可能な状態となされる。
【０１０７】
また、カートリッジホルダ５１にディスクカートリッジ１を挿入すると、ディスクカートリッジ１の挿入によりカートリッジホルダ５１が押圧されることにより、カートリッジホルダ搬送体５２がラック板９２を付勢するリミッターバネ９７の付勢力に抗して図１０中矢印Ｃ方向に移動される。そして、スイッチ押圧片９８が制御スイッチ９９を押圧操作し、搬送体送りモータ９０が正転方向の駆動を開始し、搬送体送り機構９１を介してカートリッジホルダ搬送体５２を図７中矢印Ｂ方向のカートリッジ装着部２７方向に移動させる。そして、カートリッジホルダ５１は、カートリッジ搬送体５２の移動によりカートリッジホルダ５１が同方向に送り操作されることにより、カートリッジホルダ移動ガイド溝６２，６３，６４に支持ガイド軸５８，５９，６０をガイドさせて、前述したようにカートリッジ装着部２７側へ降下操作され、ディスクカートリッジ１をカートリッジ装着部２７に位置決め装着させ、光ディスク５をディスクテーブル３９上に装着させる。このとき、カートリッジホルダ５１の支持ガイド軸５８，５９，６０がカートリッジホルダ搬送体５２のカム溝６８，６９，７０から離脱されるとともに、一体化させる手段である板バネ１０１により押圧支持され、カートリッジホルダ５１は板バネ１０１の付勢力を受けて駆動部支持体２５に圧着保持されて一体化される。
【０１０８】
さらに、カートリッジホルダ搬送体５２は、カートリッジホルダ５１をカートリッジ装着部２７側へ降下させた後も搬送体送りモータ９０により図７中矢印Ｄ方向の内方に移動操作され、固定レバー１０４を引張りバネ１０８の付勢力に抗して移動させ、駆動部支持体２５の固定軸１１０の軸係合溝１１１，１１２に対する係合を解除させ、フローティング状態となる。このフローティング状態にあるとき、カートリッジホルダ５１は、板バネ１０１により駆動部支持体２５に一体化されてなるので、この駆動部支持体２５に容易に変位可能な状態に置かれる。従って、ディスク駆動部２６及びこのディスク駆動部２６にローディングされたディスクカートリッジ１を含むカートリッジホルダ５１に対し外部振動が遮断され得る状態となり、ディスクテーブル３９に装着されディスク回転駆動機構２２により安定した回転操作が保証され、光学ピックアップ装置２３の安定した送り操作及び制御が実現され、情報信号の欠落を生じさせることなく良好な記録再生特性をもって情報信号の記録及び／又は再生が実現される。
【０１０９】
なお、カートリッジホルダ搬送体５２が、固定レバー１０４を駆動部支持体２５をフローティング状態となす位置まで移動させると、搬送体送りモータ９０の停止が行われ、ディスクカートリッジ１のローディング操作が完了する。
【０１１０】
次に、カートリッジ装着部２７に装着されたディスクカートリッジ１を排出操作するイジェクト操作の一連の動作を説明すると、プレーヤ本体に設けたイジェクト操作釦が操作されると、駆動状態にあるディスク駆動部２６が停止され、搬送体送りモータ９０が逆転方向の駆動を開始し、搬送体送り機構９１を介してカートリッジ搬送体５２をカートリッジ装着部２７側の降下位置にあるカートリッジホルダ５１方向の図１６中矢印Ｉ方向に移動操作させる。
【０１１１】
そして、カートリッジホルダ搬送体５２がカートリッジホルダ５１方向に移動されると、固定レバー１０４がカートリッジホルダ搬送体５２の移動にともない引張りバネ１０８の付勢力を受けて、図１６中矢印Ｋ方向の復帰方向に移動され、軸係合溝１１１，１１２に駆動部支持体２５の固定軸１１０に係合させ、駆動部支持体２５を基体２１に固定する。この駆動部支持体２５に板バネ１０１により一体化されているカートリッジホルダ５１も駆動部支持体２５とともに基体２１に固定された状態に置かれる
そして、カートリッジホルダ搬送体５２は、カートリッジホルダ５１及び駆動部支持体２５を基体２１に固定させた後、さらに図１６中矢印Ｉ方向に移動操作されることにより、カム溝６８，６９，７０にカートリッジホルダ５１の支持ガイド軸５８，５９，６０を進入させていき、カートリッジホルダ５１をカートリッジホルダ搬送体５２に一体化させる。ここからさらにカートリッジホルダ搬送体５２が図１５中矢印Ｉ方向に移動操作されることにより、カートリッジホルダ５１は、カートリッジホルダ移動ガイド溝６２，６３，６４にガイドされてカートリッジ装着部２７側から上昇されるとともに、ディスクカートリッジ１の挿脱を可能となす初期位置方向に移動される。
【０１１２】
カートリッジホルダ搬送体５２は、カートリッジホルダ５２をディスクカートリッジ１の挿脱を可能となす位置方向に移動させるように移動していくと、図２２に示すように、イジェクト機構操作レバー１５２の被押圧操作片１５５を基体２１側の延長片８３に当接させ、イジェクト機構操作レバー１５２を引張りバネ１６１の付勢力に抗して移動させる。そして、押圧操作片１５４によりイジェクト機構１２２のロック解除レバー１２７を回動操作させ、スライダ部材１２３のロックを解除させ、カートリッジホルダ５２内のディスクカートリッジ１を図２２に示すように排出操作する。
【０１１３】
カートリッジホルダ搬送体５２は、イジェクト機構操作レバー１５２を移動操作させる位置まで移動されると、スイッチ押圧片９８より制御スイッチ９９を押圧操作して搬送体送りモータ９０を停止させ、ディスクカートリッジ１の排出操作を完了させる。
【０１１４】
また、カートリッジホルダ搬送体５２が、イジェクト機構操作レバー１５２を移動操作させる位置まで移動されると、固定レバー１０４が引張りバネ１０８の付勢力を受けて初期位置に復帰する。この固定レバー１０４の初期位置への復帰により、カートリッジ挿脱口開閉部材２１２は基体２１の底面側に回動され、プレーヤ本体２００のカートリッジ挿脱口２０１を開放し、カートリッジホルダ５１に対するディスクカートリッジ１の挿入保持を可能な状態となす。
【０１１５】
【発明の効果】
上述したように、本発明に係る記録及び／又は再生装置におけるディスクカートリッジの装着装置は、ディスクカートリッジのローディング操作を行うとき、カートリッジホルダは、複数の支持部材を基体の左側壁部及び右側壁部に各々設けた規制溝に係合させて支持されることにより、挿脱方向のみの移動が可能とされるので、ディスクカートリッジの安定したローディングが実現できる。
【０１１６】
さらに、ディスクカートリッジの記録及び／又は再生装置本体へのローディング完了状態に至ると、支持部材と規制溝との係合が解除されて支持部材が逃げ孔部に至り、自由な移動が可能となるので、ディスクカートリッジに収納したディスクをこれを回転する駆動機構に装着させることが可能となる。
【０１１７】
カセットホルダの基体に対する移動が自由となることから、カセットホルダを支持した弾性支持手段を介して支持された駆動部支持基体を弾性変位可能な状態とすることも可能となる。
【図面の簡単な説明】
【図１】本発明に係る記録及び／又は再生装置におけるディスクカートリッジの装着装置に適用されるディスクカートリッジの上面側を示す斜視図である。
【図２】上記ディスクカートリッジの下面側を示す斜視図である。
【図３】上記ディスクカートリッジの後面側を示す下面側からの斜視図である。
【図４】本発明に係る記録及び／又は再生装置におけるディスクカートリッジの装着装置の斜視図である。
【図５】本発明に係る記録及び／又は再生装置におけるディスクカートリッジの装着装置の分解斜視図である。
【図６】ディスクカートリッジの挿脱を可能となす初期位置にカートリッジホルダを移動させた状態の本発明に係るディスクカートリッジの装着装置の平面図である。
【図７】ディスクカートリッジの挿脱を可能となす初期位置にカートリッジホルダを移動させた状態の本発明に係るディスクカートリッジの装着装置の右側面図である。
【図８】ディスクカートリッジの挿脱を可能となす初期位置にカートリッジホルダを移動させた状態の本発明に係るディスクカートリッジの装着装置の左側面図である。
【図９】駆動部支持基体を固定基体に変位可能支持させた状態を示す断面図である。
【図１０】本発明に係るディスクカートリッジの装着装置を構成する搬送体送り機構を示す斜視図である。
【図１１】駆動部支持基体を固定基体に一体化させる機構を示すものであって、一体化途中の状態を示す斜視図である。
【図１２】駆動部支持基体を固定基体に一体化させた状態を示す斜視図である
【図１３】ディスクカートリッジをディスク駆動部に装着させた状態を示す平面図である。
【図１４】ディスクカートリッジをディスク駆動部に装着させた状態を示す右側面図である。
【図１５】ディスクカートリッジをディスク駆動部に装着させた状態を示す左側面図である。
【図１６】カートリッジ挿入禁止機構を示す分解斜視図である。
【図１７】カートリッジホルダ搬送体の移動を規制する機構を示す部分斜視図である。
【図１８】カートリッジホルダ搬送体の移動を規制する機構を示す部分断面図である。
【図１９】ディスクカートリッジの排出操作を行うイジェクト機構を示す平面図である。
【図２０】イジェクト機構を備えたカートリッジホルダにディスクカートリッジを装着した状態を示す平面図である。
【図２１】カートリッジホルダに正規の状態でディスクカートリッジを挿入した状態を示す平面図である。
【図２２】カートリッジホルダの排出操作を行うイジェクト機構を動作させるイジェクト開始機構を示す平面図である。
【図２３】カートリッジホルダに挿入保持されたディスクカートリッジを排出させた状態を示す平面図である。
【符号の説明】
１  ディスクカートリッジ
２１  基体
２２  ディスク回転駆動機構
２５  駆動部支持基体
２７  カートリッジ装着部
２９  弾性支持部材
３５  左側壁部を構成する第１の側壁部
３６  右側壁部を構成する第２の側壁部
５１  カートリッジホルダ
５２  カートリッジホルダ搬送体
５８，５９，６０  支持ガイド軸
６２，６３，６４  カートリッジホルダ移動ガイド溝
６５ａ，６６ａ，６７ａ  規制溝
６５ｂ，６６ｂ，６７ｂ  逃げ孔部
６８，６９，７０  カム溝
９０  搬送体送りモータ
９１  搬送体送り機構
２００  プレーヤ本体
２０１  カートリッジ挿脱口
【図１】
0003797322.tif 000002
【図２】
0003797322.tif 000003
【図３】
0003797322.tif 000004
【図４】
0003797322.tif 000005
【図５】
0003797322.tif 000006
【図６】
0003797322.tif 000007
【図７】
0003797322.tif 000008
【図８】
0003797322.tif 000009
【図９】
0003797322.tif 000010
【図１０】
0003797322.tif 000011
【図１１】
0003797322.tif 000012
【図１２】
0003797322.tif 000013
【図１３】
0003797322.tif 000014
【図１４】
0003797322.tif 000015
【図１５】
0003797322.tif 000016
【図１６】
0003797322.tif 000017
【図１７】
0003797322.tif 000018
【図１８】
0003797322.tif 000019
【図１９】
0003797322.tif 000020
【図２０】
0003797322.tif 000021
【図２１】
0003797322.tif 000022
【図２２】
0003797322.tif 000023
【図２３】
0003797322.tif 000024